(57)【要約】      （修正有）【課題】機種に関係なく、常に最適なスライスレベルに設定できるようにし、現トラックがランドトラックであるかグルーブトラックであるかを正確に判別できる機能を有する光ディスク再生装置を提供する。【解決手段】ランド用スライスレベル＋Ｓ３は、ランド検出信号（Ａ＋Ｂ）の最大値および最小値に基づいて設定され、グルーブ用スライスレベル−Ｓ４は、グルーブ検出信号（Ｃ＋Ｄ）の最大値および最小値に基づいて設定される。ランド・グルーブ判別信号（Ａ＋Ｂ）−（Ｃ＋Ｄ）は、ランド用スライスレベル＋Ｓ３およびグルーブ用スライスレベル−Ｓ４により検出される。即ち、ランド用スライスレベルはランド検出信号の最大値および最小値に基づいて設定され、グルーブ用スライスレベルはグルーブ検出信号の最大値および最小値に基づいて設定されるので、常に最適なスライスレベルに設定することができる。【選択図】図６
2005085374.tif 000002
【特許請求の範囲】
【請求項１】
光ディスクに記録された情報を読み込むための反射光のうちのメインビームを受光する
少なくとも４個の第１，第２，第３，第４の受光素子を有する光ピックアップを備え、ラ
ンドトラックおよびグループトラックに情報が記録された光ディスクに対しても情報を再
生することが可能な光ディスク再生装置において、前記第１，第２，第３，第４の受光素
子からの読み出し信号を示す第１，第２，第３，第４のＲＦ信号から（第１のＲＦ信号＋
第２のＲＦ信号）−（第３のＲＦ信号＋第４のＲＦ信号）という演算を行い、この（第１
のＲＦ信号＋第２のＲＦ信号）−（第３のＲＦ信号＋第４のＲＦ信号）をランド・グルー
プ判別信号として出力する判別信号出力手段と、この判別信号出力手段からのランド・グ
ループ判別信号をランド検出信号（第１のＲＦ信号＋第２のＲＦ信号）とグループ検出信
号（第３のＲＦ信号＋第４のＲＦ信号）とに分離して出力する信号分離手段と、この信号
分離手段から出力されたランド検出信号の最大値および最小値、ならびにグループ検出信
号の最大値および最小値をホールドするホールド手段と、このホールド手段によりホール
ドされたランド検出信号の最大値および最小値の平均値にランド用スライスレベルを設定
すると共に、グループ検出信号の最大値および最小値の平均値にグループ用スライスレベ
ルを設定するスライスレベル設定手段と、現再生または現シークされている光ディスクの
トラックがランドトラックであるかグループトラックであるかを判別するために、前記ラ
ンド・グループ判別信号を前記ランド用スライスレベルおよび前記グループ用スライスレ
ベルにより検出するランド・グループ判別手段とを備えたことを特徴とする光ディスク再
生装置。
【請求項２】
光ディスクに記録された情報を読み込むための反射光のうちのメインビームを受光する
複数の受光素子を有する光ピックアップを備え、ランドトラックおよびグループトラック
に情報が記録された光ディスクに対しても情報を再生することが可能な光ディスク再生装
置において、光ディスクの再生時に前記光ピックアップの複数の受光素子から出力される
複数のＲＦ信号を所定演算してランド・グループ判別信号を算出し、前記ランド・グルー
プ判別信号におけるランド検出信号の最大値および最小値に基づいてランド用スライスレ
ベルを設定すると共に、前記ランド・グループ判別信号にグループ検出信号の最大値およ
び最小値に基づいてグループ用スライスレベルを設定し、現再生または現シークされてい
るトラックがランドトラックであるかグループトラックであるかを判別するために前記ラ
ンド用スライスレベルと前記グループ用スライスレベルとに基づいて前記ランド・グルー
プ判別信号を検出するように構成したことを特徴とする光ディスク再生装置。
【請求項３】
前記ランド用スライスレベルはランド検出信号の最大値および最小値の平均値で設定さ
れ、前記グループ用スライスレベルはグループ検出信号の最大値および最小値の平均値で
設定されることを特徴とする請求項２に記載の光ディスク再生装置。
【請求項４】
前記光ピックアップの受光素子が４個の第１，第２，第３，第４の受光素子である場合
、第１，第２，第３，第４の受光素子の出力信号を第１，第２，第３，第４のＲＦ信号と
すると、前記ランド・グループ判別信号は（第１のＲＦ信号＋第２のＲＦ信号）−（第３
のＲＦ信号＋第４のＲＦ信号）で示され、前記ランド検出信号は（第１のＲＦ信号＋第２
のＲＦ信号）で示され、前記グループ検出信号は（第３のＲＦ信号＋第４のＲＦ信号）で
示されることを特徴する請求項２に記載の光ディスク再生装置。
【請求項５】
前記光ピックアップの受光素子が４個の第１，第２，第３，第４の受光素子である場合
、前記第１，第２，第３，第４の受光素子からの読み出し信号を示す第１，第２，第３，
第４のＲＦ信号から（第１のＲＦ信号＋第２のＲＦ信号）−（第３のＲＦ信号＋第４のＲ
Ｆ信号）という演算を行い、この（第１のＲＦ信号＋第２のＲＦ信号）−（第３のＲＦ信
号＋第４のＲＦ信号）をランド・グループ判別信号として出力する判別信号出力手段と、
この判別信号出力手段からのランド・グループ判別信号をランド検出信号（第１のＲＦ信
号＋第２のＲＦ信号）とグループ検出信号（第３のＲＦ信号＋第４のＲＦ信号）とに分離
して出力する信号分離手段と、この信号分離手段から出力されたランド検出信号の最大値
および最小値、ならびにグループ検出信号の最大値および最小値をホールドするホールド
手段と、このホールド手段によりホールドされたランド検出信号の最大値および最小値の
平均値にランド用スライスレベルを設定すると共に、グループ検出信号の最大値および最
小値の平均値にグループ用スライスレベルを設定するスライスレベル設定手段と、現再生
または現シークされている光ディスクのトラックがランドトラックであるかグループトラ
ックであるかを判別するために前記ランド・グループ判別信号を前記ランド用スライスレ
ベルおよび前記グループ用スライスレベルにより検出するランド・グループ判別手段とを
備えたことを特徴とする請求項２に記載の光ディスク再生装置。
【発明の詳細な説明】
【技術分野】
【０００１】
本発明は、ランドトラックおよびグループトラックに情報が記録された光ディスクに対
しても情報を再生することが可能な光ディスク再生装置に関する。
【背景技術】
【０００２】
ＤＶＤ−ＲＡＭなどのような光ディスクには、ランドトラックおよびグループトラック
が形成されており、また、ランドトラックおよびグループトラックに所定距離毎にファイ
ンクロックマークが形成されている。このような光ディスクを光ディスク再生装置で再生
する場合、光ディスクのトラックに応じた態様（ランドトラックに対する態様またはグル
ープトラックに対する態様）で光ピックアップをトラッキング制御およびフォーカ制御を
行う必要がある。
【０００３】
即ち、グループトラックにトラッキングをかけるときは、トラッキングエラー信号およ
びアクチュエータ制御信号の極性は同じで良いが、ランドトラックにトラッキングをかけ
るときは、トラッキングエラー信号とアクチュエータ制御信号との極性は逆にする必要が
ある。このため、現再生されているトラックが、ランドトラックであるかグループトラッ
クであるかを示すランド・グループ判別信号は重要であり、また、シーク動作時に通過し
たトラックがランドトラックであるかグループトラックであるかを示すランド・グループ
判別信号も重要である。
【特許文献１】特開２００１−９３１７２号公報
【発明の開示】
【発明が解決しようとする課題】
【０００４】
しかしながら、従来の光ディスク再生装置では、前記ランド・グループ判別信号を読み
取るために一定のスライスレベルをランド・グループ判別回路中に設け、再生しているト
ラックがランドトラックであるかグループトラックであるかを前記一定のスライスレベル
で判定しているので、光ピックアップの受光素子に不具合が生じて、ランド・グループ判
別信号がスライスレベルから外れてしまった場合は、ランド・グループ判別信号が読み取
れなくなり、ランドトラックとグループトラックを判別することができなくなる。したが
って、その判別結果を用いて制御される光ピックアップのトラッキングなどが低下して、
これにより、再生処理の精度が低下する。
【０００５】
例えば、図７は、従来の光ディスク再生装置において、光ピックアップの４個の受光素
子が正常な位置に設定されいる場合のランド・グループ判別信号を示す信号波形図（図７
（１））と、光ピックアップの４個の受光素子が位置ずれしている場合のランド・グルー
プ判別信号を示す信号波形図（図７（２））である。図７（１）に示すように、ランド・
グループ判別信号が正常に出力されている場合は、固定されたスライスレベル＋ａとスラ
イスレベル−ａによってランドトラックとグループトラックを判別することができるが、
図７（２）に示すように、ランド・グループ判別信号がバランスを崩すと、固定されたス
ライスレベル＋ａではランド側の判別信号を検出することができなくなり、この結果、ラ
ンドトラックとグループトラックを判別することができなくなる。
【０００６】
そこで、特許文献１の従来技術では、増幅されたファインクロックマーク信号のピーク
レベルを取り込み、このピークレベルのピークホールド信号に基づいてスライスレベルを
調整し、この調整されたスライスレベルによりランドトラックとグループトラックを判別
するようにしている。しかしながら、そのスライスレベルはピークホールド信号に所定値
α（α＜１）を掛け算した値としているので、機種ごとに所定値αを決めなければならず
、また、所定値αを決めた後は、所定値αは一定値になるので、スライスレベルとしては
常に最適なレベルにはなるとは限らない。
【０００７】
要するに、この従来技術では、ランドトラックとグループトラックを判別するのに、機
種ごとに所定値αの値を決めて、スライスレベルを設定しなければならず、また、常に最
適なスライスレベルに設定することが難しく、ランド・グループ判別処理の精度が劣る場
合もあり得るという課題が生じる。
【０００８】
本発明は、上記のような課題を解決するためになされたもので、機種に関係なく、常に
最適なスライスレベルに設定できるようにし、現トラックがランドトラックであるかグル
ープトラックであるかを正確に判別できる機能を有する光ディスク再生装置を提供するこ
とを目的とする。
【課題を解決するための手段】
【０００９】
上記目的を達成するために、請求項１の発明は、光ディスクに記録された情報を読み込
むための反射光のうちのメインビームを受光する少なくとも４個の第１，第２，第３，第
４の受光素子を有する光ピックアップを備え、ランドトラックおよびグループトラックに
情報が記録された光ディスクに対しても情報を再生することが可能な光ディスク再生装置
において、前記第１，第２，第３，第４の受光素子からの読み出し信号を示す第１，第２
，第３，第４のＲＦ信号から（第１のＲＦ信号＋第２のＲＦ信号）−（第３のＲＦ信号＋
第４のＲＦ信号）という演算を行い、この（第１のＲＦ信号＋第２のＲＦ信号）−（第３
のＲＦ信号＋第４のＲＦ信号）をランド・グループ判別信号として出力する判別信号出力
手段と、この判別信号出力手段からのランド・グループ判別信号をランド検出信号（第１
のＲＦ信号＋第２のＲＦ信号）とグループ検出信号（第３のＲＦ信号＋第４のＲＦ信号）
とに分離して出力する信号分離手段と、この信号分離手段から出力されたランド検出信号
の最大値および最小値、ならびにグループ検出信号の最大値および最小値をホールドする
ホールド手段と、このホールド手段によりホールドされたランド検出信号の最大値および
最小値の平均値にランド用スライスレベルを設定すると共に、グループ検出信号の最大値
および最小値の平均値にグループ用スライスレベルを設定するスライスレベル設定手段と
、現再生または現シークされている光ディスクのトラックがランドトラックであるかグル
ープトラックであるかを判別するために、前記ランド・グループ判別信号を前記ランド用
スライスレベルおよび前記グループ用スライスレベルにより判別するランド・グループ判
別手段とを備えたことを特徴とする光ディスク再生装置。
【００１０】
この構成において、光ディスクに対する再生処理またはシーク処理が開始すると、第１
，第２，第３，第４の受光素子から第１，第２，第３，第４のＲＦ信号が出力される。そ
して、判別信号出力手段により（第１のＲＦ信号＋第２のＲＦ信号）−（第３のＲＦ信号
＋第４のＲＦ信号）という演算が行われ、この（第１のＲＦ信号＋第２のＲＦ信号）−（
第３のＲＦ信号＋第４のＲＦ信号）がランド・グループ判別信号として出力される。この
判別信号出力手段からのランド・グループ判別信号は、信号分離手段により、ランド検出
信号（第１のＲＦ信号＋第２のＲＦ信号）とグループ検出信号（第３のＲＦ信号＋第４の
ＲＦ信号）とに分離され、次に、ホールド手段により、ランド検出信号の最大値および最
小値、ならびにグループ検出信号の最大値および最小値がホールドされる。
【００１１】
この後、スライスレベル設定手段により、ランド用スライスレベルは、前記ホールドさ
れたランド検出信号の最大値および最小値の平均値に設定され、グループ用スライスレベ
ルは、前記ホールドされたグループ検出信号の最大値および最小値の平均値に設定される
。そして、ランド・グループ判別手段において、前記ランド・グループ判別信号は、前記
ランド用スライスレベルおよび前記グループ用スライスレベルにより検出される。即ち、
前記ランド用スライスレベルにより、ランド・グループ判別信号におけるランド検出信号
が検出されると、再生時またはシーク時の現トラックはランドトラックであることが分か
り、前記グループ用スライスレベルにより、ランド・グループ判別信号におけるグループ
検出信号が検出されると、再生時またはシーク時の現トラックはグループトラックである
ことが分かる。
【００１２】
この構成によれば、ランド用スライスレベルは、ランド・グループ判別信号のランド検
出信号の最大値および最小値の平均値に設定され、グループ用スライスレベルは、ランド
・グループ判別信号のグループ検出信号の最大値および最小値の平均値に設定されるので
、ランド検出信号のレベルが変化すれば、ランド用スライスレベルも最適に変化し、また
、グループ検出信号のレベルが変化すれば、グループ用スライスレベルも最適に変化する
。したがって、機種に関係なく、常に最適なスライスレベルに設定することが可能になり
、再生時またはシーク時の現トラックがランドトラックであるかグループトラックである
かを正確に判別でき、この判別結果に応じたトラッキング制御などが可能になり、光ピッ
クアップの受光素子の空間的位置ずれがあっても、光ディスクに対する再生処理およびシ
ーク処理の精度が向上する。
【００１３】
請求項２の発明は、光ディスクに記録された情報を読み込むための反射光のうちのメイ
ンビームを受光する複数の受光素子を有する光ピックアップを備え、ランドトラックおよ
びグループトラックに情報が記録された光ディスクに対しても情報を再生することが可能
な光ディスク再生装置において、光ディスクの再生時またはシーク時に前記光ピックアッ
プの複数の受光素子から出力される複数のＲＦ信号を所定演算してランド・グループ判別
信号を算出し、前記ランド・グループ判別信号におけるランド検出信号の最大値および最
小値に基づいてランド用スライスレベルを設定すると共に、前記ランド・グループ判別信
号にグループ検出信号の最大値および最小値に基づいてグループ用スライスレベルを設定
し、現再生または現シークされているトラックがランドトラックであるかグループトラッ
クであるかを判別するために、前記ランド用スライスレベルと前記グループ用スライスレ
ベルとに基づいて前記ランド・グループ判別信号を検出するように構成したことを特徴と
する光ディスク再生装置を提供する。
【００１４】
この構成において、光ディスクに対する再生処理が開始すると、複数の受光素子から複
数のＲＦ信号が出力され、複数のＲＦ信号は所定演算され、ランド・グループ判別信号が
算出される。そして、ランド用スライスレベルは前記ランド・グループ判別信号における
ランド検出信号の最大値および最小値に基づいて設定され、グループ用スライスレベルは
前記ランド・グループ判別信号におけるグループ検出信号の最大値および最小値に基づい
て設定される。前記ランド・グループ判別信号は、前記ランド用スライスレベルおよび前
記グループ用スライスレベルにより検出される。即ち、前記ランド用スライスレベルによ
り、ランド・グループ判別信号におけるランド検出信号が検出されると、再生時またはシ
ーク時の現トラックはランドトラックであることが分かり、前記グループ用スライスレベ
ルにより、ランド・グループ判別信号におけるグループ検出信号が検出されると、再生時
またはシーク時の現トラックはグループトラックであることが分かる。
【００１５】
この構成によれば、ランド用スライスレベルは、ランド・グループ判別信号のランド検
出信号の最大値および最小値により設定され、グループ用スライスレベルは、ランド・グ
ループ判別信号のグループ検出信号の最大値および最小値により設定されるので、ランド
検出信号のレベルが変化すれば、ランド用スライスレベルも最適に変化し、また、グルー
プ検出信号のレベルが変化すれば、グループ用スライスレベルも最適に変化する。したが
って、機種に関係なく、常に最適なスライスレベルに設定することが可能になり、再生時
またはシーク時の現トラックがランドトラックであるかグループトラックであるかを正確
に判別でき、この判別結果に応じたトラッキング制御などが可能になり、光ピックアップ
の受光素子の空間的位置ずれがあっても、光ディスクに対する再生処理およびシーク処理
の精度が向上する。
【００１６】
請求項３の発明においては、請求項２の発明の光ディスク再生装置におけるランド用ス
ライスレベルはランド検出信号の最大値および最小値の平均値で設定され、グループ用ス
ライスレベルはグループ検出信号の最大値および最小値の平均値で設定されるので、ラン
ド検出信号のレベルが変化すれば、ランド用スライスレベルも最適に変化し、また、グル
ープ検出信号のレベルが変化すれば、グループ用スライスレベルも最適に変化する。即ち
、ランド・グループ判別信号を検出するためのスライスレベルが可変になり、現トラック
がランドトラックであるかグループトラックであるかの判別精度の向上に貢献できる。
【００１７】
請求項４の発明においては、請求項２の発明の光ディスク再生装置における光ピックア
ップの受光素子が４個の第１，第２，第３，第４の受光素子である場合、第１，第２，第
３，第４の受光素子の出力信号を第１，第２，第３，第４のＲＦ信号とすると、ランド・
グループ判別信号は、（第１のＲＦ信号＋第２のＲＦ信号）−（第３のＲＦ信号＋第４の
ＲＦ信号）で示され、前記ランド検出信号は、（第１のＲＦ信号＋第２のＲＦ信号）で示
され、前記グループ検出信号は、（第３のＲＦ信号＋第４のＲＦ信号）で示されるので、
光ピックアップの受光素子が４個である場合におけるランド・グループ判別信号とランド
検出信号とグループ検出信号を得ることができ、現トラックがランドトラックであるかグ
ループトラックであるかの判別に貢献できる。
【００１８】
請求項５の発明は、請求項２の発明の光ディスク再生装置において、光ピックアップの
受光素子が４個の第１，第２，第３，第４の受光素子である場合、前記第１，第２，第３
，第４の受光素子からの読み出し信号を示す第１，第２，第３，第４のＲＦ信号から（第
１のＲＦ信号＋第２のＲＦ信号）−（第３のＲＦ信号＋第４のＲＦ信号）という演算を行
い、この（第１のＲＦ信号＋第２のＲＦ信号）−（第３のＲＦ信号＋第４のＲＦ信号）を
ランド・グループ判別信号として出力する判別信号出力手段と、この判別信号出力手段か
らのランド・グループ判別信号をランド検出信号（第１のＲＦ信号＋第２のＲＦ信号）と
グループ検出信号（第３のＲＦ信号＋第４のＲＦ信号）とに分離して出力する信号分離手
段と、この信号分離手段から出力されたランド検出信号の最大値および最小値、ならびに
グループ検出信号の最大値および最小値をホールドするホールド手段と、このホールド手
段によりホールドされたランド検出信号の最大値および最小値の平均値にランド用スライ
スレベルを設定すると共に、グループ検出信号の最大値および最小値の平均値にグループ
用スライスレベルを設定するスライスレベル設定手段と、現再生または現シークされてい
る光ディスクのトラックがランドトラックであるかグループトラックであるかを判別する
ために前記ランド・グループ判別信号を前記ランド用スライスレベルおよび前記グループ
用スライスレベルにより検出するランド・グループ判別手段とを備えたので、ランド検出
信号のレベルが変化すれば、ランド用スライスレベルも最適に変化させることができ、ま
た、グループ検出信号のレベルが変化すれば、グループ用スライスレベルも最適に変化さ
せることができる。したがって、機種に関係なく、常に最適なスライスレベルに設定する
ことが可能になり、再生時またはシーク時の現トラックがランドトラックであるかグルー
プトラックであるかを正確に判別できる。
【発明の効果】
【００１９】
以上のように本発明によれば、第１，第２，第３，第４の受光素子からの読み出し信号
を示す第１，第２，第３，第４のＲＦ信号から（第１のＲＦ信号＋第２のＲＦ信号）−（
第３のＲＦ信号＋第４のＲＦ信号）という演算を行い、この（第１のＲＦ信号＋第２のＲ
Ｆ信号）−（第３のＲＦ信号＋第４のＲＦ信号）をランド・グループ判別信号として出力
する判別信号出力手段と、この判別信号出力手段からのランド・グループ判別信号をラン
ド検出信号（第１のＲＦ信号＋第２のＲＦ信号）とグループ検出信号（第３のＲＦ信号＋
第４のＲＦ信号）とに分離して出力する信号分離手段と、この信号分離手段から出力され
たランド検出信号の最大値および最小値、ならびにグループ検出信号の最大値および最小
値をホールドするホールド手段と、このホールド手段によりホールドされたランド検出信
号の最大値および最小値の平均値にランド用スライスレベルを設定すると共に、グループ
検出信号の最大値および最小値の平均値にグループ用スライスレベルを設定するスライス
レベル設定手段と、現再生または現シークされている光ディスクのトラックがランドトラ
ックであるかグループトラックであるかを判別するために、前記ランド・グループ判別信
号を前記ランド用スライスレベルおよび前記グループ用スライスレベルにより判別するラ
ンド・グループ判別手段とを備えたので、ランド検出信号のレベルが変化すれば、ランド
用スライスレベルも最適に変化し、また、グループ検出信号のレベルが変化すれば、グル
ープ用スライスレベルも最適に変化し、したがって、機種に関係なく、常に最適なスライ
スレベルに設定することが可能になり、再生時またはシーク時の現トラックがランドトラ
ックであるかグループトラックであるかを正確に判別でき、この判別結果に応じたトラッ
キング制御などが可能になり、光ピックアップの受光素子の空間的位置ずれがあっても、
光ディスクに対する再生処理およびシーク処理の精度が向上する。
【００２０】
また、発明によれば、光ディスクの再生時またはシーク時に前記光ピックアップの複数
の受光素子から出力される複数のＲＦ信号を所定演算してランド・グループ判別信号を算
出し、前記ランド・グループ判別信号におけるランド検出信号の最大値および最小値に基
づいてランド用スライスレベルを設定すると共に、前記ランド・グループ判別信号にグル
ープ検出信号の最大値および最小値に基づいてグループ用スライスレベルを設定し、現再
生または現シークされているトラックがランドトラックであるかグループトラックである
かを判別するために、前記ランド用スライスレベルと前記グループ用スライスレベルとに
基づいて前記ランド・グループ判別信号を検出するように構成したので、ランド検出信号
のレベルが変化すれば、ランド用スライスレベルも最適に変化し、また、グループ検出信
号のレベルが変化すれば、グループ用スライスレベルも最適に変化し、したがって、機種
に関係なく、常に最適なスライスレベルに設定することが可能になり、再生時またはシー
ク時の現トラックがランドトラックであるかグループトラックであるかを正確に判別でき
、この判別結果に応じたトラッキング制御などが可能になり、光ピックアップの受光素子
の空間的位置ずれがあっても、光ディスクに対する再生処理およびシーク処理の精度が向
上する。
【発明を実施するための最良の形態】
【００２１】
以下、添付図面を参照しつつ、本発明の実施の形態について説明する。図１は本発明の
一実施形態に係る光ディスク再生装置の要部構成を示すブロック図である。図１において
、この光ディスク再生装置は、光ピックアップ２、ＲＦアンプ３、デコーダ４、ＣＰＵ５
、ＤＳＰ（デジタル・シグナル・プロセッサ）６、ランド・グループ判別処理部７、ドラ
イバ８、およびスピンドルモータ９を備えている。
【００２２】
光ピックアップ２は、ＤＶＤ−ＲＡＭなどの光ディスク１に記録された情報を読み込む
ための反射光のうちのメインビームを受光する４個の第１，第２，第３，第４の受光素子
（図示せず）を含み構成されている。ＲＦアンプ３は、第１，第２，第３，第４の受光素
子からの読み出し信号を示す第１，第２，第３，第４のＲＦ信号を増幅し、映像および音
声に関する映像音声ＲＦ信号と、光ピックアップ２をトラッキング制御するためのトラッ
キングエラー信号（ＴＥ）と、光ピックアップ２をフォーカス制御するためのフォーカス
エラー信号（ＦＥ）と、ランド・グループ判別処理部７に与えるランド・グループ判別信
号とを出力する。
【００２３】
デコーダ４は、ＲＦアンプ３から与えられた映像音声ＲＦ信号を所定処理（復調処理お
よび誤り訂正処理など）して映像音声データとして出力する。ＣＰＵ５は、制御プログラ
ムに従ってＲＦアンプ３とデコーダ４とＤＳＰ６を制御する。ＤＳＰ６は、ＲＦアンプ３
からのトラッキングエラー信号、同じくＲＦアンプ３からのフォーカスエラー信号、およ
びランド・グループ判別処理部７からのランド・グループ判別結果信号に基づいて所定の
制御を行う。
【００２４】
即ち、ＤＳＰ６は、トラッキングエラー信号に基づいてトラッキングサーボ処理を実行
し、フォーカスエラー信号に基づいてフォーカスサーボ処理を実行する。そのトラッキン
グサーボ処理によってトラッキングアクチュエータ制御信号およびスレッド制御信号が生
成され、ドライバ８を介して、図示しないトラッキングアクチュエータおよびスレッドモ
ータにそれぞれ出力される。また、そのフォーカスサーボ処理によってフォーカスアクチ
ュエータ制御信号が生成され、ドライバ８を介して、図示しないフォーカスアクチュエー
タに出力される。
【００２５】
また、ＤＳＰ６は、再生時またはシーク時の現トラックがランドトラックであるとき、
トラッキングアクチュエータ制御信号の極性を反転させる。つまり、グループトラックで
トラッキングを調整するときは、トラッキングエラー信号とトラッキングアクチュエータ
制御信号の極性は同じで良いが、ランドトラックでトラッキングを調整するときは、トラ
ッキングエラー信号とトラッキングアクチュエータ制御信号の極性を逆にする必要がある
。したがって、ＤＳＰ６は、ランド・グループ判別処理部７からのランド・グループ判別
結果信号に応じて、トラッキングアクチュエータ制御信号の極性を制御している。
【００２６】
ドライバ８は、ＤＳＰ６からのトラッキングアクチュエータ制御信号に基づいて光ピッ
クアップ２のトラッキングアクチュエータを制御したり、フォーカスアクチュエータ制御
信号に基づいて光ピックアップのフォーカスアクチュエータを制御したり、あるいは光デ
ィスク１を回転させるスピンドルモータ９を制御したりする。
【００２７】
図２は、図１中のランド・グループ判別処理部７の詳細な構成を説明するためのブロッ
ク図である。図２において、ランド・グループ判別処理部７は、信号分離回路７１、ピー
クホールド回路７２、スライスレベル設定回路７３、およびランド・グループ判別回路７
４を備えている。信号分離回路７１およびピークホールド回路７２はＣＰＵ５によって制
御される。
【００２８】
ＲＦアンプ３には、光ディスク１の読み取り信号を示す光ピックアップ２（図１参照）
からのＲＦ信号Ａ，Ｂ，Ｃ，Ｄを演算して、（Ａ＋Ｂ）−（Ｃ＋Ｄ）という形の信号とし
、この信号をランド・グループ判別信号として出力する判別信号出力手段が備えられてい
る。
【００２９】
ランド・グループ判別処理部７において、信号分離手段としての信号分離回路７１は、
ＲＦアンプ３からのランド・グループ判別信号（Ａ＋Ｂ）−（Ｃ＋Ｄ）をランド検出信号
（Ａ＋Ｂ）とグループ検出信号（Ｃ＋Ｄ）とに分離して出力する信号分離手段である。な
お、この信号分離手段はＤＳＰ６によって実現することも可能である。ピークホールド回
路７は、信号分離回路７１から出力されたランド検出信号（Ａ＋Ｂ）の最大値および最小
値、ならびにグループ検出信号（Ｃ＋Ｄ）の最大値および最小値をホールドするホールド
手段である。
【００３０】
スライスレベル設定回路７３は、ピークホールド回路７２によりホールドされたランド
検出信号（Ａ＋Ｂ）の最大値および最小値の平均値にランド用スライスレベルを設定する
と共に、グループ検出信号（Ｃ＋Ｄ）の最大値および最小値の平均値にグループ用スライ
スレベルを設定するスライスレベル設定手段である。ランド・グループ判別回路７４は、
現再生または現シークされている光ディスクのトラックがランドトラックであるかグルー
プトラックであるかを判別するために、ランド・グループ判別信号をランド用スライスレ
ベルおよびグループ用スライスレベルにより検出するランド・グループ判別手段である。
【００３１】
ＤＳＰ６は、図１でも説明したように、ランド・グループ判別回路７４から出力された
ランド・グループ判別結果信号を入力してトラッキングアクチュエータ制御信号の極性を
制御したりするものである。ＤＳＰ６の他の動作については図１において説明しているの
で、ここでは省略する。
【００３２】
図３は本実施形態におけるＤＶＤ−ＲＡＭなどの光ディスクのランドトラックとグルー
プトラックを説明するための断面図である。図３において、光ディスク１の記録面には、
トラックとして、ランドトラック３２，３４等と、グループトラック３１，３３等とが形
成されている。
【００３３】
図４は本実施形態におけるＤＶＤ−ＲＡＭなどの光ディスクのランドトラックとグルー
プトラックの平面図である。図４において、４１，４３はランドトラック、４２はグルー
プトラックを示す。４４，４６はランドトラック４１，４３上の記録マークを示し、４５
はグループトラック４２の記録マークを示す。
【００３４】
図５は、本実施形態において、光ピックアップの４個の受光素子が正常な位置に設定さ
れている場合のランド検出信号とグループ検出信号とランド・グループ判別信号を示す信
号波形図である。図５（１）はランド検出信号（Ａ＋Ｂ）、図５（２）はグループ検出信
号（Ｃ＋Ｄ）、図５（３）はランド・グループ判別信号（Ａ＋Ｂ）−（Ｃ＋Ｄ）を示す。
ランド検出信号（Ａ＋Ｂ）は例えば図４中のランドトラック４１を再生しているときに得
られる信号であり、グループ検出信号（Ｃ＋Ｄ）は例えば図４中のグループトラック４２
を再生しているときに得られる信号である。
【００３５】
図６は、本実施形態において、光ピックアップの４個の受光素子が位置ずれしている場
合のランド検出信号とグループ検出信号とランド・グループ判別信号を示す信号波形図で
ある。図６（１）はランド検出信号（Ａ＋Ｂ）、図６（２）はグループ検出信号（Ｃ＋Ｄ
）、図６（３）はランド・グループ判別信号（Ａ＋Ｂ）−（Ｃ＋Ｄ）を示す。
【００３６】
次に図１〜図６を参照して本実施形態の特徴とするランド・グループ判別処理について
説明する。ＤＶＤ−ＲＡＭなどの光ディスク１に対する再生処理またはシーク処理が開始
し、光ピックアップ２からＲＦ信号Ａ，Ｂ，Ｃ，Ｄが出力され、ＲＦアンプ３で増幅され
る。ＲＦアンプ３では、ＲＦ信号Ａ，Ｂ，Ｃ，Ｄに対して（Ａ＋Ｂ）−（Ｃ＋Ｄ）という
演算を行い、図５（３）に示すようなランド・グループ判別信号（Ａ＋Ｂ）−（Ｃ＋Ｄ）
を出力する。
【００３７】
このランド・グループ判別信号（Ａ＋Ｂ）−（Ｃ＋Ｄ）は、信号分離回路７１に入力さ
れ、図５（１）に示すようなランド検出信号（Ａ＋Ｂ）と、図５（２）に示すようなグル
ープ検出信号（Ｃ＋Ｄ）とに分離される。この分離されたランド検出信号（Ａ＋Ｂ）とグ
ループ検出信号（Ｃ＋Ｄ）とは、ピークホールド回路７に入力され、ランド検出信号（Ａ
＋Ｂ）の最大値Ｖ１および最小値Ｖ２、ならびにグループ検出信号（Ｃ＋Ｄ）の最大値Ｖ
３および最小値Ｖ４がホールドされる。
【００３８】
次に、スライスレベル設定回路７３では、ランド検出信号（Ａ＋Ｂ）の最大値Ｖ１およ
び最小値Ｖ２の平均値を算出し、この平均値をランド用スライスレベルＳ１として設定し
、また、グループ検出信号（Ｃ＋Ｄ）の最大値Ｖ３および最小値Ｖ４の平均値を算出し、
この平均値をグループ用スライスレベルＳ２として設定する。但し、図５（３）における
グループ用スライスレベルＳ２と図５（２）おけるグループ用スライスレベルＳ２とは符
号が反転するので、スライスレベル設定回路７３で設定されるグループ用スライスレベル
としては、図５（３）におけるランド・グループ判別信号（Ａ＋Ｂ）−（Ｃ＋Ｄ）に対応
した−符号のグループ用スライスレベル−Ｓ２になる。
【００３９】
このようにして設定されたランド用スライスレベル＋Ｓ１およびグループ用スライスレ
ベル−Ｓ２はランド・グループ判別回路７４に入力される。ランド・グループ判別回路７
４では、ＲＦアンプ３からの図５（３）に示すようなランド・グループ判別信号（Ａ＋Ｂ
）−（Ｃ＋Ｄ）を入力し、このランド・グループ判別信号（Ａ＋Ｂ）−（Ｃ＋Ｄ）をラン
ド用スライスレベル＋Ｓ１およびグループ用スライスレベル−Ｓ２でスライスして、現再
生または現シークされている光ディスク１のトラックがランドトラックであるかグループ
トラックであるかを示すランド・グループ判別結果信号をＤＳＰ６に出力する。これによ
り、ＤＳＰ６は、トラックの種類（ランドとグループ）に応じた制御を行い、再生時また
はシーク時のデータ読み込み性能を高め、再生処理およびシーク処理の精度を向上させる
。
【００４０】
ここで、光ピックアップ２の受光素子が、何らかの原因で位置がずれるような不具合が
発生した場合、ＲＦアンプ３から出力されるランド・グループ判別信号は例えば、図６（
３）に示すようなランド・グループ判別信号（Ａ＋Ｂ）−（Ｃ＋Ｄ）になったとする。
【００４１】
このランド・グループ判別信号（Ａ＋Ｂ）−（Ｃ＋Ｄ）は、信号分離回路７１に入力さ
れ、図６（１）に示すようなランド検出信号（Ａ＋Ｂ）と、図６（２）に示すようなグル
ープ検出信号（Ｃ＋Ｄ）とに分離される。この分離されたランド検出信号（Ａ＋Ｂ）とグ
ループ検出信号（Ｃ＋Ｄ）とは、ピークホールド回路７に入力され、ランド検出信号（Ａ
＋Ｂ）の最大値Ｖ５および最小値Ｖ６、ならびにグループ検出信号（Ｃ＋Ｄ）の最大値Ｖ
７および最小値Ｖ８がホールドされる。
【００４２】
次に、スライスレベル設定回路７３では、ランド検出信号（Ａ＋Ｂ）の最大値Ｖ５およ
び最小値Ｖ６の平均値を算出し、この平均値をランド用スライスレベルＳ３として設定し
、また、グループ検出信号（Ｃ＋Ｄ）の最大値Ｖ７および最小値Ｖ８の平均値を算出し、
この平均値をグループ用スライスレベルＳ４として設定する。但し、図６（３）における
グループ用スライスレベルＳ４と図５（２）おけるグループ用スライスレベルＳ４とは符
号が反転するので、スライスレベル設定回路７３で設定されるグループ用スライスレベル
は、図６（３）におけるランド・グループ判別信号（Ａ＋Ｂ）−（Ｃ＋Ｄ）に対応した−
符号のグループ用スライスレベル−Ｓ４になる。
【００４３】
このようにして設定されたランド用スライスレベル＋Ｓ３およびグループ用スライスレ
ベル−Ｓ４はランド・グループ判別回路７４に入力される。ランド・グループ判別回路７
４では、ＲＦアンプ３からの図６（３）に示すようなランド・グループ判別信号（Ａ＋Ｂ
）−（Ｃ＋Ｄ）を入力し、このランド・グループ判別信号（Ａ＋Ｂ）−（Ｃ＋Ｄ）をラン
ド用スライスレベル＋Ｓ３およびグループ用スライスレベル−Ｓ４でスライスして、現再
生または現シークされている光ディスク１のトラックがランドトラックであるかグループ
トラックであるかを示すランド・グループ判別結果信号をＤＳＰ６に出力する。これによ
り、ＤＳＰ６は、トラックの種類（ランドとグループ）に応じた制御を行う。この結果、
光ディスク再生装置は、再生時またはシーク時のデータ読み込み性能が高まり、再生処理
およびシーク処理の精度が向上する。
【００４４】
本実施形態によれば、光ピックアップ２の受光素子の空間的位置ずれの不具合の発生に
より、ＲＦアンプ３から出力されるランド・グループ判別信号が例えば図５（３）に示す
ような信号から図６（４）に示すような信号に変化しても、ランド用スライスレベルを＋
Ｓ１から＋Ｓ３に、グループ用スライスレベルを−Ｓ２から−Ｓ４にそれぞれ変化するの
で、常にランド・グループ判別信号を検出でき、トラックの種類に応じた制御を行うこと
ができ、したがって、再生時またはシーク時のデータ読み込み性能が高まり、再生処理お
よびシーク処理の精度が向上する。
【図面の簡単な説明】
【００４５】
【図１】本発明の一実施形態に係る光ディスク再生装置の要部構成を示すブロック図である。
【図２】図１中のランド・グループ判別処理部の詳細な構成を説明するためのブロック図である。
【図３】前記実施形態におけるＤＶＤ−ＲＡＭなどの光ディスクのランドトラックとグループトラックを説明するための断面図である。
【図４】前記実施形態におけるＤＶＤ−ＲＡＭなどの光ディスクのランドトラックとグループトラックの平面図である。
【図５】前記実施形態において、光ピックアップの４個の受光素子が正常な位置に設定されている場合のランド検出信号とグループ検出信号とランド・グループ判別信号を示す信号波形図である。
【図６】前記実施形態において、光ピックアップの４個の受光素子が位置ずれしている場合のランド検出信号とグループ検出信号とランド・グループ判別信号を示す信号波形図である。
【図７】従来の光ディスク再生装置において、光ピックアップの４個の受光素子が正常な位置に設定されいる場合のランド・グループ判別信号を示す信号波形図と、光ピックアップの４個の受光素子が位置ずれしている場合のランド・グループ判別信号を示す信号波形図である。
【符号の説明】
【００４６】
１    光ディスク
２    光ピックアップ
３    ＲＦアンプ（判別信号出力手段）
７    ランド・グループ判別処理部
７１    信号分離回路（信号分離手段）
７２    ピークホールド回路（ホールド手段）
７３    スライスレベル設定回路（スライスレベル設定手段）
７４    ランド・グループ判別回路（ランド・グループ判別手段）
【図１】
2005085374.tif 000003
【図２】
2005085374.tif 000004
【図３】
2005085374.tif 000005
【図４】
2005085374.tif 000006
【図５】
2005085374.tif 000007
【図６】
2005085374.tif 000008
【図７】
2005085374.tif 000009